(57)【要約】【課題】結婚披露宴において用いられるウェルカムボードとして使用するのに好適な照明付き表示板において、結婚披露宴後も適宜使用できるようにすること。【解決手段】基台３１と、該基台３１に支持される表示パネル５１とを有する照明付き表示板１１であって、上記基台３１内に、上に向けた状態で表示パネル５１の幅方向に沿って並ぶ複数個の光源３５が備えられ、これら光源３５の上方に、上記表示パネル５１の下端部を差し込んで表示パネル５１を立てる開口部３８が形成され、上記表示パネル５１が、互いに重合される２枚の透明なパネル部材３３，３４で構成されるとともに、１枚のパネル部材３３に、パネル部材３３内を透過する光を乱反射させて文字や模様を浮かび上がらせる装飾表示部５２が形成された照明付き表示板１１。使用に際しては、パネル部材３３，３４間に写真７１挟んで、ＬＥＤを点灯する。【選択図】図２
0003124179.tif 000002
【実用新案登録請求の範囲】
【請求項１】
基台と、該基台に支持される表示パネルとを有する照明付き表示板であって、
上記基台内に、上に向けた状態で表示パネルの幅方向に沿って並ぶ複数個の光源が備えられ、
これら光源の上方に、上記表示パネルの下端部を差し込んで表示パネルを立てる開口部が形成され、
上記表示パネルが、互いに重合される複数枚のパネル部材で構成されるとともに、
少なくとも１枚のパネル部材が、透光性を有するものであり、
透光性を有するパネル部材には、パネル部材内を透過する光を乱反射させる装飾表示部が形成された
照明付き表示板。
【請求項２】
前記表示パネルが、透光性を有する２枚のパネル部材で構成され、
一方のパネル部材に、前記装飾表示部が形成された
請求項１に記載の照明付き表示板。
【請求項３】
前記装飾表示部が、エッチングにより形成された
請求項１または請求項２に記載の照明付き表示板。
【請求項４】
前記装飾表示部が、左右方向にのびる多数の線を有するものである
請求項３に記載の照明付き表示板。
【請求項５】
前記光源が、複数色の光を発するものである
請求項１から請求項４のうちのいずれか一項に記載の照明付き表示板。
【請求項６】
前記光源が、発光する光の色を順次変化させるもの、または発光する光の色を順に変化させるべく制御回路によって制御されたものである
請求項１から請求項５のうちのいずれか一項に記載の照明付き表示板。
【請求項７】
前記表示パネルの下端部に、光源を収容する凹所が形成された
請求項１から請求項６のうちのいずれか一項に記載の照明付き表示板。
【請求項８】
前記基台の両側に支柱部が立設され、
これら支柱部の相対向面に、表示パネルを保持する保持溝が形成されるとともに、
上記支柱部のうち一方の支柱部が、他方の支柱部よりも高くまたは低く設定された
請求項１から請求項７のうちのいずれか一項に記載の照明付き表示板。
【請求項９】
前記装飾表示部が、ウェルカムという語またはこの旨を表示する語を有し、ウェルカムボードとして使用される
請求項１から請求項７のうちのいずれか一項に記載の照明付き表示板。
【考案の詳細な説明】
【技術分野】
【０００１】
この発明は、たとえば結婚披露宴において用いられるウェルカムボードとして使用するのに好適な照明付き表示板に関し、より詳しくは、外観美麗であり、結婚披露宴後も適宜使用できるような照明付き表示板に関する。
【背景技術】
【０００２】
ウェルカムボードは、結婚披露宴の会場においてゲストを招きいれる目印として使用され、近年では結婚披露宴で不可欠なものとなっている。
【０００３】
このようなウェルカムボードにもいろいろあるが、中でもハーフミラーを用いたものは、外観が美麗であって高級感もあり、人気が高い。
【０００４】
また、ハーフミラーを用いないウェルカムボードとしては、下記特許文献１に開示されているものがある。このウェルカムボードは、キャスタを有する支持装置に支持された有底箱体の前面に、ウェルカムの旨が表示された歓迎表示用透光性シートを備え、この歓迎表示用透光性シートの背面側に蛍光灯が備えられたものである。つまり、歓迎表示用透光性シートの表示内容が光によって浮かび上がるので、ゲストに対する２人の感謝の気持ちが伝わりやすいというものである。
【０００５】
しかし、これらのウェルカムボードにおいては、結婚披露宴後に使用されることはない。
【特許文献１】登録実用新案第３１００９６２号公報
【考案の開示】
【考案が解決しようとする課題】
【０００６】
そこで、この発明は、外観の美麗さを有し、所期の目的を充分に果たすことができるとともに、たとえば結婚披露宴等の使用日以降においても、適宜使用できるようにすることを主たる課題とする。
【課題を解決するための手段】
【０００７】
そのための手段は、基台と、該基台に支持される表示パネルとを有する照明付き表示板であって、上記基台内に、上に向けた状態で表示パネルの幅方向に沿って並ぶ複数個の光源が備えられ、これら光源の上方に、上記表示パネルの下端部を差し込んで表示パネルを立てる開口部が形成され、上記表示パネルが、互いに重合される複数枚のパネル部材で構成されるとともに、少なくとも１枚のパネル部材が、透光性を有するものであり、透光性を有するパネル部材には、パネル部材内を透過する光を乱反射させる装飾表示部が形成された照明付き表示板である。上記装飾表示部は、文字や図形、記号等で構成される。
【０００８】
すなわち、この照明付き表示パネルは、必要に応じて光源から発光させるとともに、表示パネルを構成するパネル部材間に写真等の記録媒体を挟み込んで使用される。
【０００９】
光源から光が発せられることにより、光は透光性を有するパネル部材内を透過し、このときに装飾表示部において乱反射して、文字や図形、記号、模様などを浮かび上がらせ、美麗かつ明瞭に表示を行う。
【００１０】
また、パネル部材間に挟み込まれた写真等の記録媒体の表示内容は、装飾表示部による表示とともに表示される。
【００１１】
このように、照明付き表示板は、所望の文字や模様などを浮かび上がらせる案内板やインテリアとして使用できるほか、写真立てとしても使用できる。つまり、ウェルカムボードとして構成された照明付き表示板にあっては、結婚披露宴の際に所期の目的を達成できるともとに、結婚披露宴が終わった後は、写真立てやインテリア等に適宜利用できる。
【００１２】
ここで、上記構成要素においては、次のような態様に構成することもできる。  
その態様の一つは、上記表示パネルが、透光性を有する２枚のパネル部材で構成され、一方のパネル部材に、上記装飾表示部が形成された照明付き表示板である。  
すなわち、表示パネルが２枚のパネル部材からなり、これらパネル部材がともに透光性を有するので、装飾表示部の表示内容を強調した美麗な表示ができる。
【００１３】
態様の他の一つは、上記装飾表示部が、エッチングにより形成された照明付き表示板である。エッチングは、透光性を有するパネル部材の裏面に対して行う。  
エッチングにより形成された装飾表示部は、光源からの光を良好に乱反射させることができるので、美麗な表示ができるとともに、製作も容易である。また、１枚の板材における厚さ方向の中間部にエッチングする場合に比して、エッチング作業が容易である。
【００１４】
また、この場合において、上記装飾表示部が、左右方向にのびる多数の線を有するものであるとよい。線とは、微視的に見た時に線のように見えるものを指し、たとえば断面形状を波形にしたりすることで、外観上刺繍のように見えるものである。このような装飾表示部であると、豪華さが得られる。
【００１５】
態様の他の一つは、上記光源が、複数色の光を発するものである。  
すなわち、単色ではなく複数の色が見えるので、人の注意を引くとともに、美麗さを向上できる。
【００１６】
態様の他の一つは、上記光源が、発光する光の色を順次変化させるもの、または発光する光の色を順に変化させるべく制御回路によって制御されたものである。  
すなわち、発光する光の色が自動的に順次変わるので、美麗さをさらに向上することができる。
【００１７】
態様の他の一つは、上記表示パネルの下端部に、光源を収容する凹所が形成された照明付き表示板である。  
すなわち、光源は表示パネルの下端部に形成された凹所に食い込むように配置されることになるので、光のロスを少なくすることができるとともに、各光源間の境界部分での色の変化を楽しむこともできる。
【００１８】
態様の他の一つは、上記基台の両側に支柱部が立設され、これら支柱部の相対向面に、表示パネルを保持する保持溝が形成されるとともに、上記支柱部のうち一方の支柱部が、他方の支柱部よりも高くまたは低く設定された照明付き表示板である。  
すなわち、支柱部の保持溝が安定して表示パネルを保持するとともに、２本の支柱部の高さは異なるので、左右対称の形状ではなく、楽器のハープを連想させるような斬新な美感を得ることができる。
【００１９】
態様の他の一つは、上記装飾表示部が、ウェルカムという語またはこの旨を表示する語を有し、ウェルカムボードとして使用される照明付き表示板である。  
すなわち、ウェルカムボードとして使用できるほか、結婚披露宴の終わった後は、写真立てとして使用できる。また、必要に応じて、装飾表示部のないパネル部材、あるいはウェルカムの旨を表示する装飾表示部のない別体のパネル部材を添付しておくことで、このようなパネル部材に付け替えて使用できるようにすることもできる。
【考案の効果】
【００２０】
以上のように、この考案によれば、装飾表示部による表示内容を美麗かつ明瞭に表示することがでるきとともに、表示パネル内に写真等の記録媒体を挟んで表示することもできる。このため、何通りもの使用が可能であって、たとえば結婚披露宴でのウェルカムボードとして使用した後でも適宜使用することができ、無駄をなくすことができる。
【００２１】
また、光によって装飾表示部を浮かび上がらせるので、ハーフミラーを用いたものと比べて幻想的な美しさを得ることもできる。
【考案を実施するための最良の形態】
【００２２】
この考案を実施するための一形態を、以下図面を用いて説明する。  
図１は、照明付き表示板の一例としてのウェルカムボード１１を示す斜視図であり、図２はその分解斜視図である。これらの図に示すようにウェルカムボード１１は、基台３１と、基台３１に支持された透明な表示パネル５１とを有する。そして、このウェルカムボード１１は、図３に示したように、表示パネル５１に形成された装飾表示部５２が光によって浮かび上がって見えるとともに、表示パネル５１内に写真７１等の適宜の記録媒体を保持できるように構成されている。
【００２３】
すなわち、基台３１は、横に長い角柱状の接地部３２と、この接地部３２の長さ方向の両端部から鉛直上向きに延びる２本の支柱部３３，３４とを有する。
【００２４】
接地部３２は、底面が開放された中空状に形成され、内部には、光源としての複数個のＬＥＤ３５…、給電のための電池ボックス３６、ＯＮ／ＯＦＦ切り換えのためのスイッチ３７といった必要機器が装備されている（図３、図４、図５参照）。
【００２５】
基台３１の接地部３２における幅方向の中間部には、長さ方向に長い開口部３８が形成され、表示パネル５１の下端部を差し込んで保持できるようにするとともに、保持された表示パネル５１の下端からＬＥＤ３５…の光が入射するように構成されている。
【００２６】
つまり、上記開口部３８の下に複数個のＬＥＤ３５…が収納される。収納は、接地部３２の長さ方向に沿って並ぶように行う。すなわち、細幅帯状の支持基板３９上に複数個のＬＥＤ３５…を所定の間隔を隔てて取付けるとともに、この支持基板３９の両端部を、接地部３２内の天井面に取付ける。この取付けは、図４、図５に示したように、ブロック状の介装材４０を介して行う。介装材４０は平面視コ字状に形成され、透明の樹脂などで構成される。
【００２７】
なお、ＬＥＤ３５の高さは、接地部３２の開口部から突出しない適宜高さに設定される。
【００２８】
また、ＬＥＤ３５は、緑、青、赤の光を発するものであって、通電すると順次色が変わってゆく、いわゆる７色発光の周知のＬＥＤであって、複数個のＬＥＤ３５において、その変色が異なる時間間隔で行われるものを使用する。発光は、図５に示したように、まず「赤」に発光し、順に「緑」、「青」、「赤緑、すなわち橙」、「緑青、すなわち水色」、「青赤、すなわち紫」、「青赤緑、すなわち白」、「赤」と順に変化するものが好適に使用できる。
【００２９】
上記電池ボックス３６には、電池３６ａが収納され、図４、図５に示したように、上記支持基板３９に沿って適宜収納される。
【００３０】
上記スイッチ３７は、接地部３２の外側面から操作できるように、そのつまみ部分３７ａを外面に露出した状態で取付けられる。
【００３１】
２本の支柱部３３，３４は、接地部３２と同じ幅の角柱状で、一方の支柱部３３が他方の支柱部３４よりも高く形成されている。高さの比は、１：３程度であるとよい。
【００３２】
これら２本の支柱部３３，３４の相対向面には、上記開口部３８と同一または略同一の幅の保持溝３３ａ，３４ａが形成されて、表示パネル５１を上から差し込めば表示パネル５１を安定して保持できるように構成されている。
【００３３】
一方、表示パネル５１は、同一厚、同一形状の２枚の透明なパネル部材５３，５４からなる。  
すなわち、２枚のパネル部材５３，５４は、共に略縦長長方形をなす板状で、その下部は、基台３１の支柱部３３，３４の保持溝３３ａ，３４ａ間に差し込み可能な大きさに形成されるともとに、下端部の左右両側部位には、基台３１の接地部３２の上面に当接する当接部５５が形成されている。また、これら当接部５５，５５間の部分は下方に延設され、ＬＥＤ３５に対応する部分に、ＬＥＤ３５の一部を収容するぬすみとして、正面視アーチ型の凹所５６…が形成されている。
【００３４】
そして、２枚のパネル部材５３，５４のうち、一方のパネル部材５３には、図２などに示したように、「ウェルカム」の旨を表示する上記装飾表示部５２が形成されている。
【００３５】
装飾表示部５２は、表側に位置させるパネル部材５３の裏面に対してレーザーエッチングをして形成する。面に対してレーザーエッチングを行うので、内部に対して加工するのに比して作業は容易である。
【００３６】
装飾表示部５２の表示内容は、上述のようにウェルカムの旨を表示する文字と、適宜の模様で構成される。図面においては単純化のため、文字のみで構成した例を示している。
【００３７】
この装飾表示部５２は、図６（ａ）に示したように、底の面が装飾表示部５２の上下方向に波型を描くように形成する。このように形成することで、図６（ｂ）に示したように、装飾表示部５２が左右方向に延びる多数本の線を有する状態になる。このような装飾表示部５２は、表面側から見ると立体的な刺繍のように見える。
【００３８】
なお、装飾表示部５２を有する上記パネル部材５３は、注文に応じて適宜製造されるものであって、そのパネル部材５３を入れ替えるだけで、所望のウェルカムボード１１を得ることができる。
【００３９】
以上のように構成されたウェルカムボード１１は、披露宴会場の入口や受付に置いて使用される。使用にあたっては、パネル部材５３，５４間に、新郎と新婦の写真７１を挟み込んで、スイッチ３７をＯＮに切り換える。すると、ＬＥＤ３５…が点灯し、色のついた光が装飾表示部５２において乱反射し、装飾表示部５２浮かび上がって見え、写真の画像も明瞭に表示される。
【００４０】
しかも、複数個のＬＥＤ３５は、それぞれ順に、しかも独立的に、発光する色を変化させるので、虹を彷彿させるような美麗さを得られる。さらに、２枚のパネル部材５３，５４は共に透明であるので、透明感のある美しさを得られるとともに、高級感も得られる。
【００４１】
殊に、装飾表示部５２には、刺繍を彷彿させるように左右方向のびる多数本の線が設けられているので、さらに一層高級感が増す。
【００４２】
そして、結婚披露宴で使用した後は、家庭で、記念品として保管するだけではなく、たとえば新婚旅行の写真を挟んだり、子どもの写真を挟んだりして写真立てとして使用するほか、インテリアとしても使用できる。
【００４３】
また、表示パネル５１の下端部に、ＬＥＤ３５…を収容する凹所５６…が形成されているので、光のロスを少なくすることができるとともに、各ＬＥＤ３５…間の境界部分での色の変化を楽しむこともできる。
【００４４】
さらに、基台３１は接地部３２と支柱部３３，３４とで構成され、開口部３８と保持溝３３ａ，３４ａとで表示パネル１５を保持するので、表示パネル５１の組み付けは簡単に行え、組み付け状態も安定する。
【００４５】
また、２本の支柱部３３，３４は、それぞれ長さを異ならせているので、斬新な美感を得ることができる。
【００４６】
この考案の構成と、上記一形態の構成との対応において、  
この考案の照明付き表示板は、上記一形態のウェルカムボード１１に対応し、  
同様に、  
光源は、ＬＥＤ３５…に対応するも、  
この考案は、上記一形態の構成のみに限定されるものではなく、その他の形態を採用することもできる。
【００４７】
たとえば、裏側に位置させる、装飾表示部を有しない方のパネル部材の表面に、鏡面加工やコーティングなどを施して、光反射性を高めて、美麗さを向上させることもできる。このときは、装飾表示を有するパネル部材の下に、ＬＥＤを位置させる。  
また、ＬＥＤの発光制御は、別途の制御回路を用いて行うもよい。
【００４８】
さらに、パネル部材同士の間に挟むものは、写真等の記録媒体のほか、たとえば押し花などの自然物や色紙や折り紙などの物品を挟むことによって、独特の美しさを得ることもできる。
【００４９】
さらにまた、この考案の照明付き表示板は、ウェルカムボードのほか、たとえば会社や商店等の受け付けカウンターに置かれる案内板などとして使用することもできる。その際の装飾表示部は、たとえば「受け付け」、「仕上がり日」など、必要に応じて様々な表示が考えられる。
【図面の簡単な説明】
【００５０】
【図１】ウェルカムボードの斜視図。
【図２】ウェルカムボードの分解斜視図。
【図３】使用状態のウェルカムボードの正面図。
【図４】ウェルカムボードの立て断面図。
【図５】ウェルカムボードの作用状態を示す断面図。
【図６】装飾表示部を示す説明図。
【符号の説明】
【００５１】
１１…ウェルカムボード
３１…基台
３３，３４…支柱部
３３ａ，３４ａ…保持溝
３５…ＬＥＤ
３８…開口部
５１…表示パネル
５２…装飾表示部
５３，５４…パネル部材
５６…凹所
【図１】
0003124179.tif 000003
【図２】
0003124179.tif 000004
【図３】
0003124179.tif 000005
【図４】
0003124179.tif 000006
【図５】
0003124179.tif 000007
【図６】
0003124179.tif 000008